(57)【要約】【課題】外部から衝撃を受けても破損せず、原価及び重量を効果的に節減することができるトーンホイールを提供する。【解決手段】本発明は、ホイールのスリップを感知してアンチロックブレーキシステムを作動させるホイールスリップ感知システムであって、金属材質のリング本体と、前記リング本体の板面に一定間隔毎に形成された穿孔部と非穿孔部と、前記リング本体の外周面が折曲されて延長形成されたフランジ部とからなるトーンホイールと；前記トーンホイールの回転時に前記穿孔部と非穿孔部とを感知して相違する感知信号を出力する感知部と；前記感知部の感知結果に基づいて前記アンチロックブレーキシステムの作動可否を制御する制御部と；を含むことを特徴とし、前記トーンホイールは、圧延鋼板の材質であり、前記感知部は、磁場センサであることを特徴とする。【選択図】図２
2005313868.tif 000002
【特許請求の範囲】
【請求項１】
ホイールのスリップを感知してアンチロックブレーキシステムを作動させるホイールスリップ感知システムであって、
金属材質のリング本体と、前記リング本体の板面に一定間隔毎に形成された穿孔部と非穿孔部と、前記リング本体の外周面が折曲されて延長形成されたフランジ部とからなるトーンホイールと；
前記トーンホイールの回転時に前記穿孔部と非穿孔部とを感知して相違する感知信号を出力する感知部と；
前記感知部の感知結果に基づいて前記アンチロックブレーキシステムの作動可否を制御する制御部と；
を含むことを特徴とするホイールスリップ感知システム。
【請求項２】
前記トーンホイールは、圧延鋼板の材質であることを特徴とする請求項１に記載のホイールスリップ感知システム。
【請求項３】
前記感知部は、磁場センサであることを特徴とする請求項１に記載のホイールスリップ感知システム。
【請求項４】
ホイールに装着されて前記ホイールの回転差を感知するためのトーンホイールであって、
金属材質のリング本体を有し、
前記リング本体の外周面に沿って一定間隔毎に穿孔部及び非穿孔部が形成され、前記外周面に沿って板面が折曲されてフランジ部が延長形成されていることを特徴とするトーンホイール。
【発明の詳細な説明】
【技術分野】
【０００１】
本発明は、ホイールスリップ感知システムに関し、より詳しくは、アンチロックブレーキシステム（Ａｎｔｉ−ｌｏｃｋ  Ｂｒａｋｅ  Ｓｙｓｔｅｍ）の作動可否を判断するためにホイールの回転数及びスリップ（ホイールのロッキング）を電気的な信号に変換して感知するホイールスリップ感知システムに関する。
【背景技術】
【０００２】
アンチロックブレーキシステム（Ａｎｔｉ−Ｌｏｃｋ  Ｂｒａｋｅ  Ｓｙｓｔｅｍ）は、電子制御によって滑りやすい路面でブレーキングしてもホイールがロッキング（Ｌｏｃｋｉｎｇ）されずに、車体の方向を安定維持させる装置である。
即ち、路面が凍結または濡れていて摩擦がほとんどない時、急ブレーキをかければ、ホイールがロッキングされ車体が横滑りすることがある。これはホイールがロッキングされて回転が止まれば、ホイールに方向性がなくなるためである。これを防止するためにホイールをロッキングさせずに、ロッキングする直前にホイールが回転を続けるようにさせる。これによって、車速とホイールの回転を感知し、両方の減速度を比較して、ホイールの減速度が大きくなればホイールシリンダに作用する油圧を減少させてロッキングを防止するようになっている。このようなシステムによって、車輪がロッキングされないため制動距離は短くなる。このようにホイールのスリップ状態が正確に感知されてこそアンチロックブレーキシステムが作動して車輪が滑らずに、より正確で短い制動が可能となる。
【０００３】
アンチロックブレーキシステムは、車両のホイール（ｗｈｅｅｌ）から発生するスリップを感知して作動する。車両のスリップ状態を感知するホイールスリップ感知システムは、軟磁性焼結合金材質のトーンホイールを使用してホイールのスリップを感知し、車両が急停止時にホイールのスリップ（ロック）をＥＣＵに伝達して、車両の急停止時に操向ができるようにし、危険な状況において迅速に対処して大型事故を未然に防止する。
しかし、従来のホイールスリップ感知システムに利用される焼結合金材質のトーンホイールは、材質の特性上、脆性のために小さな衝撃でも簡単に破損していた。  特に走行中にトーンホイールの歯型の部分に異質物が入り込みアンチロックブレーキシステムの作動を不可能にする可能性もあった。また原資材の値段が高いため、車両の収益性を悪化させる問題点がある。
【特許文献１】特開平７−１５６７６９号公報
【発明の開示】
【発明が解決しようとする課題】
【０００４】
本発明の目的は、外部からの衝撃が加わっても破損せず、原価及び重量を効果的に節減することができるトーンホイールを提供することにある。
さらに、本発明の他の目的は、ダストカバー機能を兼備した構造のトーンホイールを提供することにある。
【課題を解決するための手段】
【０００５】
本発明は、ホイールのスリップを感知してアンチロックブレーキシステムを作動させるホイールスリップ感知システムであって、金属材質のリング本体と、前記リング本体の板面に一定間隔毎に形成された穿孔部と非穿孔部と、前記リング本体の外周面が折曲されて延長形成されたフランジ部とからなるトーンホイールと；前記トーンホイールの回転時に前記穿孔部と非穿孔部とを感知して相違する感知信号を出力する感知部と；前記感知部の感知結果に基づいて前記アンチロックブレーキシステムの動作可否を制御する制御部と；を含むことを特徴とし、前記トーンホイールは、圧延鋼板の材質であり、前記感知部は、磁場センサであることを特徴とする。
【０００６】
本発明は、ホイールに装着されて前記ホイールの回転差を感知するためのトーンホイールであって、金属材質のリング本体を有し、前記リング本体の外周面に沿って一定間隔毎に穿孔部及び非穿孔部が形成され、前記外周面に沿って板面が折曲されてフランジ部が延長形成されていることを特徴とする。
【発明の効果】
【０００７】
本発明は、外部から衝撃を受けても破損されず、原価及び重量を効果的に節減することができ、ダストカバー機能を兼備した構造を有するトーンホイールの提供を目的とする。
【発明を実施するための最良の形態】
【０００８】
以下、本発明の実施例を添付図によって詳述する。
【実施例】
【０００９】
図１はトーンホイールが装着されたドライブシャフトの斜視図である。図１に示すように、トーンホイール１０はドライブシャフト（Ｄ／ＳＨＡＦＴ；２）またはハブ（図示せず）のジョイント３に装着されるものであり、本発明によって金属材質の所定厚さのリング状を有する。
本発明によるトーンホイール１０にはリングの周囲に沿って一定間隔毎に板面が切り取られた穿孔部１０ａを設け、穿孔部と穿孔部との間に非穿孔部１０ｂが形成される。トーンホイール１０には外周面に沿って板面を折曲して延長形成したフランジ部を設け、ダストカバーのような異質物防止機能をもたせる。
【００１０】
本発明によるトーンホイール１０は、圧延鋼板をプレス成形して製作される。圧延鋼板は、伸びがあるため従来の軟磁性焼結合金製トーンホイールで発生していた破損及び異質物による作動異常の問題が解消されるため、圧延鋼板製トーンホイール１０を利用すれば正確にホイールスリップを感知することができる。
さらに、走行中の道路上の異質物によって破損したり、ＡＢＳ（Ａｎｔｉ  ｌｏｃｋ  Ｂｒａｋｉｎｇ  Ｓｙｓｔｅｍ）の警告灯が点灯する問題点も解消できる。
【００１１】
図２は図１のトーンホイールを利用したホイールスリップ感知システムの構成図である。図２に示すように、ホイールスリップ感知システムは、ドライブシャフト２またはハブ（図示せず）上に設けられるトーンホイール１０と、トーンホイール１０の回転時にトーンホイールの穿孔部１０ａと非穿孔部１０ｂとを感知して相違するサイン波の電気的信号を発生させるホイールセンサ１１と、ホイールセンサ１１から発生するサイン波形の電気的信号を受信してホイールのスリップを感知する制御部１２（ＥＣＵ：Ｅｌｅｃｔｒｏｎｉｃ  Ｃｏｎｔｒｏｌ  Ｕｎｉｔ）と、制御部１２の制御によってブレーキ１４を制御する油圧装置１３とから構成される。
【００１２】
ホイールセンサ１１は、トーンホイール１０の穿孔部１０ａと非穿孔部１０ｂとで発生する誘導起電力を感知する磁場センサによって構成することが好ましいが、フォトダイオードとフォトトランジスタを利用して穿孔部１０ａと非穿孔部１０ｂとを感知してトーンホイール１０の回転状態を感知することや、他の方式のセンサを利用することもできる。
従って、トーンホイールに穿孔部と非穿孔部とが形成されたリング部材で構成し、ホイールセンサを通じて穿孔部と非穿孔部とを感知することによってトーンホイールの回転数を感知することができる。
【００１３】
一方、焼結合金材質の代わりに簡単に手に入れることができる圧延鋼板を使えば、加工プロセスが短縮され原価低減にも寄与する。そして、従来のトーンホイールは、焼結材の粉末合金であるため厚みの薄い形状は強度面から成形が困難であったが、本発明のトーンホイールの材質である圧延鋼板は、厚さを自由に選択して成形できるため重量面でも多くの節減効果がある。さらに、従来の焼結タイプトーンホイールは、道路上の異質物からトーンホイールや周辺部品であるハブベアリングを保護するために、ダストカバーを設置したりトーンホイールの形状を変更していたが、本発明のようにトーンホイールを圧延鋼板で製造する場合には、トーンホイールにフランジ部を設けることによりダストカバーの機能を追加することができるため、簡単に付加機能を付加して機能向上が計れる。
【図面の簡単な説明】
【００１４】
【図１】本発明によるトーンホイールが装着されたドライブシャフトの斜視図である。
【図２】図１のトーンホイールを利用したホイールスリップ感知システムの構成図である。
【符号の説明】
【００１５】
２  ドライブシャフト
３  ジョイント
１０  トーンホイール
１１  ホイールセンサ
１２  ＥＣＵ
１３  油圧装置
１４  ブレーキ
【図１】
2005313868.tif 000003
【図２】
2005313868.tif 000004